(57)【要約】【課題】シート束の最上シートの静電吸着ベルトへの吸着と、最上シート付近のシートの浮揚、分離を良好に行える静電吸着方式のシート搬送装置とする。【解決手段】シート束１の最上シート１Ａに近い位置で、かつ搬送方向下流側からシート束１の一端にエアを送風し、最上シート１Ａを、それ近い２枚目以下のシートとともに浮揚させ、シート間を分離させるエア送風部１４を備える。シートガイド部材１９にエア送風部１４による送風を通気させる通気孔１９Ａを備える。エア送風部１４によるエア送風は、最上シート１Ａに近い位置からシートガイド部材１９の最上シート１Ａ搬送面より上方の位置までにわたる高さ方向範囲（範囲ｄ）とし、かつ静電吸着ベルト１３Ａによる最上シート１Ａの吸着面範囲（Ｎ）の両外側の範囲（Ｍ）とする。【選択図】図５
2014019512.tif 000002
【特許請求の範囲】
【請求項１】
シート束を収納するシート収納部と、
前記シート束を垂直方向に昇降させるシート昇降部材と、
前記シート昇降部材を昇降駆動するシート昇降手段と、
前記シート束の最上シート直上に位置し、静電吸着力によって前記最上シートを吸着する静電吸着ベルトと、
前記静電吸着ベルトを掛け回す駆動ローラ及び少なくとも一つの従動ローラと、
前記静電吸着ベルトに電圧を印加して静電吸着力を付与する静電吸着ベルト電源部と、
前記駆動ローラを回転駆動して前記最上シートを搬送する駆動手段と、
前記静電吸着ベルトの吸着面範囲外で、かつ吸着面と同じ高さで最上シートを搬送方向にガイドするシートガイド部材と、
前記シート収納部に収納されたシート束の最上シートに近い位置で、かつ前記シートの搬送方向下流側から前記シート束の一端にエアを送風することにより、前記最上シート及び前記シート束内で前記最上シート直下の２枚目以下のシートのうち少なくとも前記２枚目のシートも浮揚させ、前記最上シートとの間を分離させるエア送風部と、
を備えるシート搬送装置において、
前記エア送風部は、前記エア送風を、前記最上シートに近い位置から前記シートガイド部材の前記最上シートの搬送面より上方の位置まで亘る範囲であって、かつ前記静電吸着ベルトによる前記最上シートの吸着面の範囲外となる範囲に向けて行うように設定されている、
ことを特徴とするシート搬送装置。
【請求項２】
請求項１のシート搬送装置において、前記シートガイド部材に前記エア送風部による送風を通気させる通気孔を具備したことを特徴とするシート搬送装置。
【請求項３】
請求項１または２のシート搬送装置において、前記静電吸着ベルトの直下の範囲で、かつ前記シート束の最上シートより下方の範囲に送風するベルト位置エア送風部を具備したことを特徴とするシート搬送装置。
【請求項４】
請求項３のシート搬送装置において、前記ベルト位置エア送風部による送風量を、前記シート束のシート坪量及びシートサイズの少なくとも一つに応じて変更することを特徴とするシート搬送装置。
【請求項５】
少なくとも、画像形成部と、請求項１乃至４のいずれかの前記シート搬送装置とを備えたことを特徴とする画像形成装置。
【請求項６】
前記画像形成装置が、デジタルコピー機、プリンタ、ファクシミリ、オフセット印刷機のいずれか又は少なくともこれらのうち二つの機能を有するものであることを特徴とする請求項５の画像形成装置。
【発明の詳細な説明】
【技術分野】
【０００１】
本発明は、電子写真方式、静電記録方式等を利用したファクシミリ、プリンタ、複写機、これらの少なくとも二つの機能を有する複合機等の画像形成装置に用いるシート搬送装置と、これを備えた画像形成装置に関する。
【背景技術】
【０００２】
複写機やプリンタ等の画像形成装置に用いられるシート搬送装置として、図１０に示すエア吸引式のシート搬送装置が広く知られている（特許文献１、２参照）。
【０００３】
図１０、図１１に示すシート搬送装置１１０は、シート収納部１１１の上方に静電吸着ベルト１１３Ａを備えた静電吸着搬送部１１３が設けられており、シート収納部１１１上に積載された複数枚のシート束１０１の、垂直方向の一番上にあるシート１０１Ａ（以下「最上シート１０１Ａ」とする）を静電吸着ベルト電源部１１３Ｄから高電圧を印加することにより静電吸着ベルト１１３Ａ表面と最上シート１０１Ａとの間に静電吸着力（クーロン力）を発生させて最上シート１０１Ａを吸着し、所定の位置へ搬送させるように構成している。
【０００４】
なお、図１２に示すように、静電吸着ベルト１１３Ａは絶縁層１２２によって複数の電極シート１２１Ａ及び１２１Ｂを被覆した構成であり、電極シートにそれぞれプラスとマイナスの高電圧を印加することにより誘電分極が発生し、対象物である最上シート１０１Ａ表面が分極することで静電吸着ベルト１１３Ａとの間に静電吸着力（クーロン力）が発生するものである。
【０００５】
シート収納部１１１の搬送方向下流側にはエア送風部１１４が設けられており、エアをシート１０１の一端に送風することにより、積載されたシート束１０１の最上シート１０１Ａ及び最上シート付近を浮揚させ、分離させる。
【０００６】
図１１に示すように、静電吸着ベルト１１３Ａは搬送方向上流側の従動ローラ１１３Ｃと搬送方向下流側の駆動ローラ１１３Ｂに掛け渡されており、従動ローラ１１３Ｃは駆動ローラ１１３Ｂを支点に回転揺動するように構成されている。最上シート１０１Ａの搬送時には静電吸着ベルト１１３Ａのシート吸着面はシート束１０１と平行に位置し、最上シート１０１Ａの静電吸着ベルト１１３Ａへの吸着時には従動ローラ１１３Ｂを下降させる。同時に下降量を角度として検知し、常に所定の角度となるようシート昇降部材１１２を制御し、最上シート１０１Ａの静電吸着を安定させる。このように、従動ローラ１１３Ｂは最上シート１０１Ａの搬送動作毎に下降と上昇を繰り返す。
【０００７】
以上のように、静電吸着ベルト１１３Ａによる最上シート１０１Ａの静電吸着とエア送風部１１４による最上シート付近の浮揚、分離の方式では、静電吸着ベルト１１３Ａと最上シート１０１Ａとの間にエアが入り込むため、静電吸着の妨げになってしまい、吸着不足によるシート搬送不良の懸念がある。
【０００８】
以上のようなエア吸引式のシート搬送装置は数多く知られているが（エア吸着を行うタイプの装置で、シート搬送方向下流側から分離エアＡを吹き付ける技術については、特許文献３〜９などに開示がある。）、図１０、図１１に示した例で述べれば、いずれも静電吸着搬送部１１３で吸引して吸引部位を真空状態にすることにより負圧を発生させ、静電吸着ベルト１１３Ａに最上シート１０１Ａを吸着させる方式であるため、過度な負圧によってはシート表面にダメージを与えることが考えられ、例えば、静電吸着ベルト１１３Ａ表面の吸引孔がシート表面に転写してしまう場合がある。
【０００９】
すなわち、エア吸着の場合、吸着力が強いので、下流側からベルトに向けて分離エアＡを吹き付けても、最上位の紙が剥がれ落ちる問題は少なく、２枚目以降の紙を確実に押し下げることができるが、エア吸着は吸引力が強すぎて紙にダメージを与えるため、より弱い吸着力で静電的に吸着させる静電吸着ベルトを用いる方法が提案されている。
【００１０】
このような静電吸着ベルトを用いる方式には、大別して２通りの方式があり、電極埋め込みタイプと、帯電パターンタイプが知られているが、いずれにしても静電吸着方式の場合、シートを吸着する力がエア吸着に比べて弱いため、エア吸着のときと同様に、ベルトに向かって下流側から分離エアＡを噴き付けると、静電吸着ベルトと引き付けている最上位紙の間にエアが滞留し、最上位の紙まで剥がれ落ちてしまうという問題がある。
【発明の概要】
【発明が解決しようとする課題】
【００１１】
そこで本発明は、重送防止対策の用紙先端にエアを吹き付ける機構を備えつつ、静電吸着ベルトが用紙を吸着しきれないことによる重送や不給紙を防ぐことが可能なシート搬送装置、画像形成装置を提供することを目的としている。
【課題を解決するための手段】
【００１２】
本発明に係るシート搬送装置は、シート束を収納するシート収納部と、前記シート束を垂直方向に昇降させるシート昇降部材と、前記シート昇降部材を昇降駆動するシート昇降手段と、前記シート束の最上シート直上に位置し、静電吸着力によって前記最上シートを吸着する静電吸着ベルトと、前記静電吸着ベルトを掛け回す駆動ローラ及び少なくとも一つの従動ローラと、前記静電吸着ベルトに電圧を印加して静電吸着力を付与する静電吸着ベルト電源部と、前記駆動ローラを回転駆動して前記最上シートを搬送する駆動手段と、前記静電吸着ベルトの吸着面範囲外で、かつ吸着面と同じ高さで最上シートを搬送方向にガイドするシートガイド部材と、前記シート収納部に収納されたシート束の最上シートに近い位置で、かつ前記シートの搬送方向下流側から前記シート束の一端にエアを送風することにより、前記最上シート及び前記シート束内で前記最上シート直下の２枚目以下のシートのうち少なくとも前記２枚目シートも浮揚させ、前記最上シートとの間を分離させるエア送風部と、を備えることを特徴とするシート搬送装置において、前記エア送風部は、前記エア送風を、前記最上シートに近い位置から前記シートガイド部材の前記最上シートの搬送面より上方の位置まで亘る範囲であって、かつ前記静電吸着ベルトによる前記最上シートの吸着面の範囲外となる範囲に向けて行うように設定されている、ことを特徴とする。
【発明の効果】
【００１３】
本発明によれば、シートの搬送方向で静電吸着ベルト下流に位置するシート搬送部で静電吸着ベルトに密着したシートを分離しやすくすることができ、最上シートを安定的に搬送できる。
【図面の簡単な説明】
【００１４】
【図１】本発明に係るシート搬送装置を装備し得る画像形成装置の一例を示す概略構成図
【図２】本発明の一実施形態に係るシート搬送装置の構成説明図
【図３】図２の実施形態装置のエア送風部を稼動させてシート束の最上シート付近が浮揚、分離している様子を示す図
【図４】静電吸着ベルト内部構造を示す図
【図５】図３の矢印Ｙ方向から見て示す図
【図６】図３の矢印Ｚ方向から見て示す図
【図７】本発明のシート搬送装置の第二の実施形態を図３の矢印Ｙ方向から見て示す図
【図８】同じく図３の矢印Ｚ方向から見て示す図
【図９】シート坪量及びシートサイズに応じたベルト位置エア送風部の稼動条件を示す図
【図１０】従来のエア吸引式のシート搬送装置の一例を示す図
【図１１】図１３の装置の動作状態を示す図
【図１２】従来のエア吸引式のシート搬送装置で用いられている静電吸着ベルトの一例の内部構造を示す図
【発明を実施するための形態】
【００１５】
以下、本発明の実施の形態を図面を参照して詳細に説明する。なお静電吸着ベルトには、電極埋め込みタイプと、帯電パターンタイプが知られている。本発明の実施形態に係る装置での静電吸着給紙は、いずれのタイプでも構わない。
【００１６】
図１は、本発明に係るシート搬送装置を装備し得る画像形成装置の一例を示す概略構成図である。なお、本発明の実施対象とする画像形成装置は、図示のものには限定されず、複写機、ファクシミリ装置、複写機能とファクシミリ機能等を備えた複合機等の機能を有するもの等々、画像形成を行う種々の装置が対象となる。
【００１７】
図１において、画像形成装置の一例としての複写機１００は、原稿トレイ１１０ａに載置された原稿束から原稿を１枚分離して原稿読取部１２０上のコンタクトガラスに自動給紙する自動原稿搬送装置１１０と、自動原稿搬送装置１１０によってコンタクトガラス上に搬送された原稿を読み取る原稿読取部１２０と、給紙部１３０から給紙されたシート材に対して、原稿読取部１２０によって読み取った画像を形成する画像形成部（画像形成手段）１４０と、複数のシート材が積層されたシート束Ｓを有し、このシート束Ｓから最上位に位置するシート材Ｓ１を画像形成部１４０に給紙する給紙部１３０を備えている。なお、本実施の形態では、画像形成部１４０と給紙部１３０とは分割可能となっているが、そうでない構成でも良い。
【００１８】
給紙部１３０は、複数枚のシート材Ｓ１を積載するシート積載部材としての給紙カセット１５０と、給紙カセット１５０上の複数枚のシート材Ｓ１から最上位に位置するシート材を分離して搬送するシート分離給紙装置１６０とを含んで構成してある。
【００１９】
シート分離給紙装置１６０によって分離給紙されたシート材Ｓ１は、搬送経路１７０上を搬送されるようになっており、搬送経路１７０上を搬送されるシート材Ｓ１は、搬送ローラ対１８０により搬送され、転写ローラ１９０によって画像形成部１４０で形成されたトナー画像が転写され、このトナー画像が定着器２００によって熱転写され、排紙ローラ対２１０により排紙トレイ２２０に排出する。
【００２０】
画像形成部１４０は、４つの作像部２３０（２３０Ｙ（イエロー）、２３０Ｃ（シアン）、２３０Ｍ（マゼンタ）、２３０ＢＫ（ブラック））と、転写ベルトである中間転写ベルト２４０と、露光装置２５０とから構成してある。
【００２１】
露光装置２５０は、パーソナルコンピュータ、ワードプロセッサ等から入力される色分解された画像データや、原稿読取部１２０によって読み取られた原稿の画像データを光源駆動用の信号に変換し、それに従い各レーザ光源ユニット内の半導体レーザを駆動して光ビームを射出するようになっている。
【００２２】
作像部２３０Ｙ、２３０Ｃ、２３０Ｍ、２３０ＢＫは、それぞれ異なる色の画像（トナー像）を形成するようになっており、作像部２３０Ｙ、２３０Ｃ、２３０Ｍ、２３０ＢＫは、時計回転方向に回転駆動される像担持体である感光体２６０（２６０Ｙ、２６０Ｃ、２６０Ｍ、２６０ＢＫ）、感光体２６０の周囲に配置された帯電部２７０、現像部２８０、クリーニング部２９０等により構成されている。
【００２３】
感光体２６０は、円筒状に形成され、図示しない駆動源により回転駆動される。感光体２６０の外周面部には感光層が設けられており、露光装置２５０から射出された破線で示す光ビームが感光体２６０の外周面にスポット照射されることにより、感光体２６０の外周面には画像情報に応じた静電潜像が書き込まれる。
【００２４】
帯電部２７０は、感光体２６０の外周面を一様に帯電するもので、感光体２６０に対して接触方式のものが採用されている。現像部２８０は、感光体２６０にトナーの供給を行い、供給されたトナーが感光体２６０の外周面に書き込まれた静電潜像に付着することにより、感光体２６０上の静電潜像がトナー像として顕像化させるもので、感光体２６０に対して非接触方式のものが採用されている。
【００２５】
クリーニング部２９０は、感光体２６０の外周面に付着している残留トナーをクリーニングするもので、感光体２６０の外周面にブラシを接触させるブラシ接触方式のものが採用されている。
【００２６】
中間転写ベルト２４０は、樹脂フィルム、または、ゴムを基体として形成された無端状ベルトから構成されており、感光体２６０上に形成されたトナー像が転写され、この中間転写ベルト２４０に転写されたトナー像が転写ローラ１９０によってシート材Ｓ１に転写される。
【００２７】
以下、本発明の実施に係るシート搬送装置の構成を説明する。
本実施形態は、静電吸着ベルトのシート搬送方向下流側の端部を用紙束の下流側端部よりも上流側に位置させつつ、ベルトの下流側の上側ガイド板に向けて分離エアを噴き、反射させて、直接ベルトと１枚目の間にエアが入りにくく、且つ２枚目以降の用紙間にエアが入りやすくしたものである。
【００２８】
本実施形態のシート搬送装置１０は、図２に示すようにシート収納部１１と、シート昇降部材１２と、静電吸着ベルト部１３と、搬送ガイド板２３と、押し下げエア送風部２４と、シート束１の搬送方向上流端部規制部材１６と、静電吸着ベルト駆動手段１３Ｅと、モータなどからなるシート昇降手段１８と、図４に示すシート束１の搬送方向側端部規制部材１５と、搬送方向側端部規制部材１５に付属している分離エア送風部２５と、制御部（図示せず）とを備えている。シート昇降部材１２は水平面を有しており、積層された複数枚のシート束１を積載可能である。シート収納部１１には、制御部に接続されたシート昇降手段１８が駆動連結されており、シート昇降手段１８が駆動することによりシート昇降部材１２が昇降し、シート収納部１１内のシート束１を昇降することができるように構成されている。
【００２９】
以下、本実施形態に係る静電吸着ベルトの構成を説明する。
図２は本発明の一実施形態に係るシート搬送装置１０の構成説明図であり、このシート搬送装置１０は、図２に示すように、シート収納部１１と、シート昇降部材１２と、静電吸着ベルト部１３と、エア送風部１４と、シート束１の搬送方向上流端部規制部材１６と、静電吸着ベルト駆動手段１７と、シート昇降手段１８と、図５に示すシート束１の搬送方向側端部規制部材１５と、シートガイド部材１９と、制御手段（図示せず）とを備えている。
【００３０】
シート昇降部材１２は水平面を有しており、積層された複数枚のシート束１を積載可能である。シート収納部１１には、制御手段に接続されたシート昇降手段１８が連結されており、シート昇降手段１８が駆動することによりシート昇降部材１２が昇降し、シート収納部１１内のシート束１を昇降することができるように構成されている。
【００３１】
静電吸着ベルト部１３は、制御手段に接続された静電吸着ベルト駆動手段１７に連結されており、駆動ローラ１３Ｂ、従動ローラ１３Ｃを掛け渡す静電吸着ベルト１３Ａを備えている。静電吸着ベルト１３Ａは、図４に示すような複数の電極２１を絶縁層２２によって被覆したシート状の媒体をベルトにしたものである。複数の電極２１はプラス電極２１Ａとマイナス電極２１Ｂが交互に配列されている。これら電極２１へ静電吸着ベルト電源部１３Ｄによって高電圧を印加すると誘電分極が発生し、最上シート１Ａの吸着面が分極するため、静電吸着ベルト１３Ａとの間に静電吸着力（クーロン力）が発生する。この静電吸着力により最上シート１Ａを静電吸着ベルト１３Ａに吸着することができ、最上シート１Ａを吸着した状態で静電吸着ベルト駆動手段１７が駆動して静電吸着ベルト１３Ａが回転することにより、最上シート１Ａを複写機１００の画像形成部１４０へと給送できるように構成されている。
【００３２】
なお、本実施形態の構成では、電極２１を絶縁層２２で被覆した静電吸着ベルト１３Ａとしたが、静電吸着ベルト上に電荷を付与して静電吸着力を発生する方式でもよく、そのための静電電荷付与手段を備えていてもよい。
【００３３】
シート束１は、図２に示す第１の辺１Ｂと第２の辺１Ｃとからなる一対の辺と、図５に示す第３の辺１Ｄと第４の辺１Ｅとからなる一対の辺とにより規定される長方形状をなしている。辺１Ｄと辺１Ｅとは、駆動ローラ１３Ｂ、従動ローラ１３Ｃを結ぶ方向に指向しており、辺１Ｂは図２において右端のシート搬送方向下流側に位置し、辺１Ｃは図２において左端のシート搬送方向の上流側に位置している。
【００３４】
エア送風部１４は、図３に示すように最上シート１Ａの辺１Ｂ近傍の位置であって、送風口が辺１Ｂに対向する位置に設けられている。また、図５に示すように、エア送風部１４によるエアは最上シート１Ａに近い位置からシートガイド部材１９の最上シート１Ａ搬送面の上方（高さ方向の範囲ｄ）に送風し、かつ図５、図６に示すように静電吸着ベルト１３Ａの直下である最上シート１Ａ吸着面（幅方向で中央の範囲Ｎ：以下、吸着面範囲Ｎという。）の範囲外である範囲（幅方向で両脇の範囲Ｍ：以下、吸着面外範囲Ｍという）に送風するように設定されている。
【００３５】
すなわち本実施形態では、エア送風部１４によってエアを送風することにより、最上シート１Ａ及び最上シート１Ａの辺１Ｂ付近のシートを浮揚させて静電吸着ベルト１３Ａに接近、あるいは接触させると共に、エアを送風することでシート間にエアが流れ、複数のシートを互いに分離させることができる。この状態で静電吸着ベルト給電部を稼動することにより、良好に最上シート１Ａを吸着し、搬送することができる。なお、静電吸着ベルト１３Ａの吸着面範囲Ｎにエアを送風すると、静電吸着ベルト１３Ａと最上シート１Ａとの間にエアが入り込むため、十分に静電吸着できない場合があるが、吸着面の範囲外である吸着面外範囲Ｍにエアを送風することにより、吸着面にエアが入り込むことはなく、静電吸着の妨げにはならない。
【００３６】
シートガイド部材１９にはエア送風部１４によって送風されたエアを通気させる通気孔１９Ａが設けられており、最上シート１Ａとシートガイド部材１９との間にエアが入り込んでも通気孔から通気するため、静電吸着ベルト１３Ａへの吸着の妨げにもならない。
【００３７】
＜実施形態２＞
次に、本発明の第二の実施形態を説明する。
この実施形態では、エア送風部１４に加えて吸着面範囲Ｎの幅方向で中央あるいはほぼ中央に位置するベルト位置エア送風部２０を備えている。このベルト位置エア送風部２０もエア送風部１４と同様に、最上シート１Ａの辺１Ｂ近傍の位置であって、送風口が辺１Ｂに対向する位置に設けられている。
【００３８】
そして図７に示すように、エア送風部１４によるエアは最上シート１Ａに近い位置からシートガイド部材１９の最上シート１Ａ搬送面の上方の範囲ｄに送風し、かつ図７、図８に示すように静電吸着ベルト１３Ａの直下である最上シート１Ａ吸着面（範囲Ｎ）の範囲外である吸着面外範囲Ｍに送風するように設定されている。
【００３９】
また、同じく図７に示すように、ベルト位置エア送風部２０によるエアは最上シート１Ａより下方の領域で、最上シート１Ａと静電吸着ベルト１３Ａとの間にエアが入り込まない高さ方向の範囲ｅに送風し、かつ図７、図８に示すように静電吸着ベルト１３Ａの直下である範囲Ｎにも送風するように設定されている。
【００４０】
すなわちこの実施形態では、エア送風部１４とベルト位置エア送風部２０によってエアを送風することにより、最上シート１Ａ及び最上シート１Ａの辺１Ｂ付近のシートを浮揚させて静電吸着ベルト１３Ａに接近あるいは接触させると共に、エアを送風することでシート間にエアが流れ、複数のシートを互いに分離させる。また、ベルト位置エア送風部２０によるエアは最上シート１Ａと静電吸着ベルト１３Ａとの間にエアが入り込むことはない。そのためエアが静電吸着を妨げず、静電吸着ベルト１３Ａの吸着面範囲Ｎでのシート浮揚、分離に寄与するため、良好に最上シート１Ａを吸着し、搬送できる。
【００４１】
なお図９に示すように、ベルト位置エア送風部２０によるエア送風は、シート束１のシート坪量あるいはシートサイズに応じて変更する。例えば坪量が８０ｇ／ｍ２未満のような低坪量シートでは、エア送風部１４によるエアのみでシート束１は浮揚、分離するため、ベルト位置エア送風部２０を稼動させず、２５０ｇ／ｍ２以上のような高坪量シートではベルト位置エア送風部２０によってシート束を浮揚させる必要があるため、ベルト位置エア送風部２０を稼動させる。シートサイズでもより大きいサイズでベルト位置エア送風部２０を稼動させる。
【００４２】
図９は、シート坪量及びシートサイズに応じたベルト位置エア送風部２０の稼動条件であり、上述したように、低坪量シート及び小サイズではベルト位置エア送風部２０を稼動させることはないが、より高坪量、大サイズになるに従って稼動が必要となり、また稼動時のエア風量も高坪量、大サイズになるにしたがって大きくなることを示している。図中Ｓ１、Ｓ２は塗工紙風量設定値、ａ、ｂ、ｃはシートサイズの区分、ｖ、ｘ、ｙ、ｚはシート坪量の区分であり、例えば「Ｓ２ａｙ」との表記は、塗工紙風量設定値がＳ２、シートサイズがａの区分（図示の例ではＡ４サイズ以下のもの）、シート坪量がｙの区分（１６０〜２６９．９ｇ／ｍ２）であることを示す。
【００４３】
なお以上説明してきた本発明の実施形態に係るシート搬送装置は、画像形成装置、例えばデジタルコピー機、プリンタ、ファクシミリ、オフセット印刷機においてシート搬送動作を向上させるために用い得るが、その他の画像形成装置や、類似の他の装置に搭載して用い得る。
【００４４】
また本発明は以上説明した実施形態に限定されるものではなく、多くの変形が本発明の技術的思想内で当分野において通常の知識を有する者により可能である。
【符号の説明】
【００４５】
１        ：シート束
１Ａ      ：最上シート
１０      ：シート搬送装置
１１      ：シート収納部
１２      ：シート昇降部材
１３      ：静電吸着ベルト部
１３Ａ    ：静電吸着ベルト
１３Ｂ    ：駆動ローラ
１３Ｃ    ：従動ローラ
１３Ｄ    ：静電吸着ベルト給電装置
１３Ｅ    ：静電吸着ベルト駆動手段
１５      ：搬送方向側端部規制部材
１６      ：搬送方向上流端部規制部材
１８      ：シート昇降手段
２０      ：ベルト位置エア送風部
２１      ：電極
２２      ：絶縁層
２３      ：搬送ガイド板
２４      ：エア送風部
２５      ：分離エア送風部
１００    ：複写機
１０１    ：シート束
１１０    ：シート搬送装置
１１０ａ  ：原稿トレイ
１２０    ：原稿読取部
１３０    ：給紙部
１４０    ：画像形成部
１５０    ：給紙カセット
１６０    ：シート分離給紙装置
１７０    ：搬送経路
１９０    ：転写ローラ
２００    ：定着器
２２０    ：排紙トレイ
２３０    ：作像部
２３０Ｙ  ：作像部
２４０    ：中間転写ベルト
２５０    ：露光装置
２６０    ：感光体
２７０    ：帯電部
２８０    ：現像部
２９０    ：クリーニング部
Ａ、Ａｘ  ：エア
【先行技術文献】
【特許文献】
【００４６】
【特許文献１】特開２００４−２６３１４号公報
【特許文献２】特開２００７−４５６３０号公報
【特許文献３】特開２０１０−１２６３０５号公報
【特許文献４】特開２０１０−２４１５８９号公報
【特許文献５】特開２０１０−１３７９６３号公報
【特許文献６】特開２０１０−１０５７８１号公報
【特許文献７】特開２０１０−２５４４６２号公報
【特許文献８】特開２０１１−１５７２０７号公報
【特許文献９】特許３２２０５４１号公報
【図１】
2014019512.tif 000003
【図２】
2014019512.tif 000004
【図３】
2014019512.tif 000005
【図４】
2014019512.tif 000006
【図５】
2014019512.tif 000007
【図６】
2014019512.tif 000008
【図７】
2014019512.tif 000009
【図８】
2014019512.tif 000010
【図９】
2014019512.tif 000011
【図１０】
2014019512.tif 000012
【図１１】
2014019512.tif 000013
【図１２】
2014019512.tif 000014